(57)【要約】【課題】  相手側機器とアンテナ部との間の無線通信性能を良好とすることが可能な車両用表示装置を提供する。【解決手段】  車両情報を含む各種情報を表示する表示手段１０と、この表示手段１０の制御を行うための制御部４３ａが導電路に配設された配線基板４３と、この配線基板４３の背後側に位置する回路基板３０とを備え、回路基板３０に相手側機器である携帯端末６０との無線通信を行うためのアンテナ部３１が形成されている車両用表示装置において、配線基板４３の法線方向から見たときに、アンテナ部３１と配線基板４３とが重なり合う位置関係とならないように、回路基板３０が配線基板４３の背後側に位置している。【選択図】図３
2015101143.tif 000002
【特許請求の範囲】
【請求項１】
車両情報を含む各種情報を表示する表示手段と、
前記表示手段の制御を行うための制御部が導電路に配設された配線基板と、
前記配線基板の背後側に位置する回路基板とを備え、
前記回路基板に相手側機器との無線通信を行うためのアンテナ部が形成されている車両用表示装置において、
前記配線基板の法線方向から見たときに、前記アンテナ部と前記配線基板とが重なり合う位置関係とならないように、前記回路基板が前記配線基板の背後側に位置していることを特徴とする車両用表示装置。
【請求項２】
前記アンテナ部は、前記法線方向から見たときに、前記配線基板の下端部から、はみ出るように設けられていることを特徴とする請求項１記載の車両用表示装置。
【発明の詳細な説明】
【技術分野】
【０００１】
本発明は、例えば自動２輪車をはじめとする各種車両に搭載され、車両情報を含む各種情報を表示する表示手段を備えた車両用表示装置に関するものである。
【背景技術】
【０００２】
従来より、この種の車両用表示装置にあっては、例えば下記特許文献１に記載されているものが知られている。この特許文献１に記載の車両用表示装置は、車両情報を含む各種情報を表示するアナログ式計器からなる表示手段と、この表示手段の制御を行うためのマイクロコンピュータからなる制御部が導電路上に実装（配設）された硬質の配線基板と、この配線基板の背後側に重なるように位置し、その外形形状が配線基板の外形形状よりも小さい硬質の回路基板とを備え、この回路基板に相手側機器（例えば車両用表示装置を視認する視認者が携帯している携帯端末）との無線通信を行うためのアンテナ部が形成されているものである。
【先行技術文献】
【特許文献】
【０００３】
【特許文献１】特開２０１３−６００３７号公報
【発明の概要】
【発明が解決しようとする課題】
【０００４】
ところで、上述した特許文献１に記載の車両用表示装置に備えられる配線基板の導電路には、通常、上述した制御部だけではなくコンデンサ等の金属電子部品を含む各種電子部品が実装されており、これに伴い配線基板の表面全体に渡って導電路がくまなく張り巡らされている構成となっている。
【０００５】
このような構成において、配線基板の背後に重なるように回路基板が位置し（つまり配線基板の法線方向から見たときにアンテナ部と配線基板とが重なり合う位置関係にあり）、且つ、視認者の着ている衣類のポケット等に上記携帯端末が収容されているような場合、携帯端末とアンテナ部との間に配線基板が介在していることに起因して、配線基板に設けられた導電路や上述した金属電子部品が前記無線通信を行うための無線電波を遮蔽することが考えられ、携帯端末（相手側機器）とアンテナ部との間の無線通信性能が悪化する虞がある。
そこで本発明は、前述の課題に対して対処するため、相手側機器とアンテナ部との間の無線通信性能を良好とすることが可能な車両用表示装置の提供を目的とするものである。
【課題を解決するための手段】
【０００６】
本発明は、車両情報を含む各種情報を表示する表示手段と、前記表示手段の制御を行うための制御部が導電路に配設された配線基板と、前記配線基板の背後側に位置する回路基板とを備え、前記回路基板に相手側機器との無線通信を行うためのアンテナ部が形成されている車両用表示装置において、前記配線基板の法線方向から見たときに、前記アンテナ部と前記配線基板とが重なり合う位置関係とならないように、前記回路基板が前記配線基板の背後側に位置していることを特徴とする。
【０００７】
また本発明は、前記アンテナ部は、前記法線方向から見たときに、前記配線基板の下端部から、はみ出るように設けられていることを特徴とする。
【発明の効果】
【０００８】
本発明によれば、初期の目的を達成でき、相手側機器とアンテナ部との間の無線通信性能を良好とすることが可能な車両用表示装置を提供できる。
【図面の簡単な説明】
【０００９】
【図１】本発明の実施形態による車両用表示装置の正面図。
【図２】図１のＡ−Ａ断面図
【図３】図１のＢ−Ｂ断面図
【図４】同実施形態による自動２輪車に搭載された車両用表示装置と相手側機器との位置関係の一例を示す図。
【図５】同実施形態による相手側機器（携帯端末）の電気的構成を示すブロック図。
【図６】同実施形態による車両用表示装置と相手側機器との電気的構成を示すブロック図。
【図７】同実施形態の変形例による自動２輪車に搭載された車両用表示装置を示す図。
【図８】同実施形態の他の変形例による配線基板の法線方向から見たときの配線基板と回路基板との位置関係を示す図。
【発明を実施するための形態】
【００１０】
以下、図１〜図６に基づいて本発明の実施形態を自動２輪車のハンドル中央に搭載される車両用計器に適用した場合を例に挙げて説明する。
【００１１】
図１〜図３において、本実施形態による車両用表示装置としての車両用計器Ｄは、車両情報を含む各種情報を表示する表示手段１０と、車両用計器Ｄの外装ケースを構成する筐体２０と、この筐体２０内に収容されている回路基板３０とを備え、この場合、相手側機器である携帯端末６０と通信接続可能に構成されている。
【００１２】
表示手段１０は、図１中、左方側に位置する車両の走行速度をアナログ的に表示する速度計からなる指針式表示部４０と、図１中、右方側に位置する表示ユニット５０とを備え、これら指針式表示部４０と表示ユニット５０とが並設された構成となっている。
【００１３】
速度計としての指針式表示部４０は、図２に示すように指針４１と、この指針４１を作動させる計器ムーブメントからなる駆動装置４２と、この駆動装置４２を導通装着してなる配線基板４３と、指針４１と配線基板４３との間に位置し、指針４１が指示する目盛や数字等の表示部４４ａを有する表示板４４とから主に構成され、表示板４４及び表示ユニット５０の背後側に設けられる配線基板４３上には、指針４１及び表示板４４に対応する複数の発光素子４５が搭載されている。
【００１４】
そして、この場合、指針４１は発光素子４５の点灯によりその照射光を受けて発光可能な光透過材料により形成され、また表示板４４の表示部４４ａ（図１参照）は発光素子４５の点灯によりその照射光を受けて発光するよう光透過性材料により形成されている。
【００１５】
配線基板４３は、例えばガラスエポキシ系基材に配線パターンとしての導電路（図示せず）が施された硬質回路基板からなり、駆動装置４２と、発光素子４５と、駆動装置４２と発光素子４５と後述する表示器の制御を行う制御部４３ａと、コンデンサ等の金属電子部品を含む各種電子部品（図示せず）とが配線基板４３上にくまなく張り巡らされた前記導電路に導通接続されている。
【００１６】
また、表示手段１０（駆動装置４２、光源４５並びに前記表示器）の制御を行うための制御部４３ａが前記導電路に実装（配設）された配線基板４３の前方側には、例えば白色系の合成樹脂材料にて形成されたケース体４６が設けられており、このケース体４６には、発光素子４５を収納しそれらの光を指針４１及び表示板４４側に案内する照明室が複数形成されている。なお、ケース体４６は、表示板４４を保持する保持体としての機能を有している。また、ケース体４６は、表示板４４だけではなく表示ユニット５０側に位置する回路基板３０や後述する第２の透視部をも固定保持している。
【００１７】
そして、指針４１や表示板４４の前方側には、これらを覆う透光性合成樹脂材料にて形成された略平板状の第１の透視部４７が設けられており、この第１の透視部４７は、筐体２０に備えられる後述する第１の前面側開口を塞ぐように前記第１の前面側開口に配設されている。自動２輪車に搭乗した状態で、車両用計器Ｄを視認している搭乗者（視認者）は、第１の透視部４７を通じて車両情報を透視（視認）することができる。
【００１８】
表示ユニット５０は、車両情報と当該車両情報を除いた車両の外部情報とを含む各種情報を表示するＴＦＴ型液晶表示パネルからなる表示器５１と、この表示器５１の前方側を覆う略平板状の第２の透視部５２とで構成されている。
【００１９】
第２の透視部５２は、透光性合成樹脂材料にて形成され、筐体２０に備えられる後述する第２の前面側開口を塞ぐように配設され、表示器５１の配設位置を除いた第２の透視部５２の背面側周縁には例えば黒色印刷層からなる不透過部５３が印刷形成されている。
【００２０】
なお、図３中、５４は第２の透視部５２の背面側周縁を保持する保持部であり、この保持部５４は、ケース体４６に一体的に形成されている。また、図３中、５５は回路基板３０を固定するために設けられたボス部からなり、このボス部５５は、保持部５４と同様にケース体４６に一体的に形成され、配線基板４３を貫通して回路基板３０側に垂下形成されており、適宜固定手段を用いてボス部５５に回路基板３０が取り付けられる。
【００２１】
車両用計器Ｄを視認する搭乗者は、第２の透視部５２を通じて表示器５１に表示される車両情報と車両の外部情報とを含む各種情報を透視（視認）することができる。ここでの詳細図示は省略するが、車両情報としては、エンジン回転数情報、走行距離情報、燃費情報、燃料残量が僅かであることを報知する残燃料警告表示等の各種警告情報等を挙げることができ、車両の外部情報としては、ナビゲーション情報や音楽情報等を挙げることができる。
【００２２】
つまり、この場合、表示器５１に表示される情報は、車両情報と車両の外部情報とが混在しているものとなり、車両情報と車両の外部情報とを任意の配列形態にて表示可能となっている。なお、必要に応じて、表示器５１と第２の透視部５２と間に設けられる光学接着剤からなる光硬化型の透明樹脂（図示せず）を通じて、表示器５１と第２の透視部５２とが接合されるようにしてもよい。
【００２３】
筐体２０は、例えば黒色の合成樹脂材料にて形成され、指針式表示部４０と表示ユニット５０とでなる表示手段１０と、回路基板３０とを収容するものであり、この場合、上側ハウジング２１と下側ハウジング２２とに分割形成された構成となっている。
【００２４】
両ハウジング２１、２２のうち搭乗者側に位置する上側ハウジング２１の前方側には、指針４１や表示板４４に対応する箇所に第１の前面側開口２３が開口形成され、表示器５１に対応する箇所に第２の前面側開口２４が開口形成されている。そして、第１の前面側開口２３には第１の透視部４７が配設され、第２の前面側開口２４には第２の透視部５２が配設される。
【００２５】
回路基板３０は、例えばガラスエポキシ系基材に所定の回路パターンが施された硬質回路基板からなり、配線基板４３と離間する（略平行状態をなす）ように配線基板４３の背後側に位置している。この回路基板３０は、その外形形状が配線基板４３の外形形状よりも小さくなっており、配線基板４３と配線部材（図示せず）を用いてコネクタ接続されている。
【００２６】
この回路基板３０には、相手側機器である携帯端末６０との無線通信を行うためのアンテナ部３１が形成されている。このアンテナ部３１は、回路基板３０の背面（一方の面）に導電性材料を用いて形成されたアンテナ用回路パターンからなり、図３中、回路基板３０の下端側に設けられ、前記回路パターンと導通接続されている。
【００２７】
ここで、配線基板４３と、アンテナ用回路パターンからなるアンテナ部３１の形成された回路基板３０との位置関係に着目すると、配線基板４３の板面方向とは直交する方向である配線基板４３の法線方向（つまり図３中、矢印Ｘ方向）から見たときに、アンテナ部３１と配線基板４３とが重なり合う位置関係とならないように、回路基板３０が配線基板４３の背後側に位置している。具体的には、本例の場合、矢印Ｘ方向（前記法線方向）から見たときに、アンテナ部３１は、図３中、配線基板４３の下端側から、はみ出るように設けられている。
【００２８】
このようにアンテナ部３１と配線基板４３とが重なり合う位置関係とならないように回路基板３０が配線基板４３の背後側に位置している（つまりアンテナ部３１が配線基板４３の下端側から、はみ出るように設けられている）ことにより、アンテナ部３１と搭乗者が携帯している携帯端末６０との間に、導電路や当該導電路に実装された金属電子部品が設けられた配線基板４３が、位置していない（介在していない）構成となるため、上記の導電路や金属電子部品の影響を受けて前記無線通信を行うための無線電波が遮蔽されないものとなって、携帯端末６０とアンテナ部３１との間の無線通信性能を良好とすることが可能となる。特に、図４に示すように、自動２輪車のハンドル中央に傾斜した状態で車両用計器Ｄが設置される場合、携帯端末６０とアンテナ部３１と間の距離が比較的近くなることから、携帯端末６０とアンテナ部３１との間の無線通信性能をより良好なものとすることができる。
【００２９】
なお、携帯端末６０としては、例えばスマートフォンを適用することができ、この場合、自動２輪車に搭乗している搭乗者が着用している衣類のポケット等に収容されているものとする。ここで、携帯端末６０と車両用計器Ｄとは、ともに近距離電波送受信機能を有しているものとする。
【００３０】
図５は携帯端末６０のブロック図を示しており、携帯端末６０は、所定の情報を表示するタッチパネルを備えたタッチ型ディスプレイ６１と、このタッチ型ディスプレイ６１の動作を制御するＣＰＵ等を含む制御装置６２と、車両用計器に備えられるアンテナ部３１との間でデータのやりとりが可能な通信部６３（ここではＢｌｕｅｔｏｏｔｈ（登録商標）とする）と、制御装置６２の処理プログラムが格納されるフラッシュメモリやＥＥＰＲＯＭ等の不揮発性メモリからなる記憶手段６４とから主に構成されている。
【００３１】
タッチ型ディスプレイ６１は、携帯端末６０の正面に設けられ、例えば詳細図示は省略するが、液晶表示パネルの表示エリア上に抵抗膜方式や静電容量方式等のタッチパネルが重ねて配置された構成となっており、搭乗者が前記表示エリアに対応するタッチパネル箇所をタッチすることにより、スイッチとして機能する。また、通信部６３は、車両用計器Ｄ側に搭載されたアンテナ部３１との間で無線通信を行うものである。
【００３２】
図６は、車両用計器Ｄと携帯端末６０とが無線通信接続される場合の車両用計器Ｄと携帯端末６０とのブロック図の主要部を示しており、車両用計器Ｄに備えられる回路基板３０には、例えば上述したアンテナ用回路パターンからなるアンテナ部３１の他、無線Ｉ／Ｆ３２、デコーダ３３、制御手段３４等が搭載されている。制御手段３４は、無線Ｉ／Ｆ３２とデコーダ３３の制御を行うものである。
【００３３】
また、配線基板４３が回路基板３０とコネクタ接続されているとき、携帯端末６０と車両用計器Ｄとの間でやりとりされるデータには、映像信号、音信号、電源等が含まれる。例えば回路基板３０は、車両の外部情報（ここではナビゲーション情報とする）として携帯端末６０（通信部６３）側から送られてくる映像信号、音信号等を配線基板４３側に出力することができる。
【００３４】
例えば、やりとりされるデータのうち映像信号を例に挙げて説明すると、携帯端末６０（通信部６３）側から送られてくる当該映像信号は、回路基板３０の無線Ｉ／Ｆ３２へと送られるとともに、制御手段３４による制御のもとデコーダ３３から出力されて、回路基板３０とコネクタ接続されている配線基板４３に実装された制御部４３ａへと入力（供給）される。そして、制御部４３ａによる制御のもと、映像信号に基づくナビゲーション情報を表示器５１に表示させるべく、表示器５１を表示動作させる制御を行う。すると、表示器５１には、車両情報と混在した状態で（ターンバイターン表示等を含む）ナビゲーション情報が表示されることになる。
【００３５】
以上のように本実施形態では、車両情報を含む各種情報を表示する表示手段１０と、この表示手段１０の制御を行うための制御部４３ａが導電路に実装（配設）された配線基板４３と、この配線基板４３の背後側に位置する回路基板３０とを備え、回路基板３０に携帯端末６０との無線通信を行うためのアンテナ部３１が形成されている車両用計器Ｄにおいて、配線基板４３の前記法線方向から見たときに、アンテナ部３１と配線基板４３とが重なり合う位置関係とならないように、回路基板３０が配線基板４３の背後側に位置しているものである。また、アンテナ部３１は、前記法線方向から見たときに、配線基板４３の下端部から、はみ出るように設けられているものである。
【００３６】
従って、アンテナ部３１と搭乗者が携帯している携帯端末６０との間に、導電路や当該導電路に実装された金属電子部品が設けられた配線基板４３が位置していない構成となるため、上記の導電路や金属電子部品の影響を受けて前記無線通信を行うための無線電波が遮蔽されないものとなって、携帯端末６０とアンテナ部３１との間の無線通信性能を良好とすることが可能となる。
【００３７】
また本実施形態では、アンテナ部３１が、前記法線方向から見たときに、配線基板４３の下端部から、はみ出るように設けられているものであったが、例えば本実施形態の変形例として図７に示すようにアンテナ部３１を、前記法線方向から見たときに、配線基板４３の下端部とは相対する位置にある配線基板４３の上端部から、はみ出るように設けた場合であっても、前述した実施形態と同様の作用効果を得ることができる。
【００３８】
また本実施形態では、矢印Ｘ方向から見たときにアンテナ部３１が配線基板４３の周囲にはみ出ている例について説明したが、例えばアンテナ部３１が配線基板４３の周囲にはみ出ないような構成において、本実施形態の他の変形例として図８に示すように、アンテナ部３１に対応する配線基板４３の周縁箇所に凹形状に切り欠き形成された切り欠き部４３ｂを設け、矢印Ｘ方向から見たときに、当該切り欠き部４３ｂにアンテナ部３１が位置する（臨む）ように、回路基板３０が配線基板４３の背後側に配置されている構成としてもよい。このように構成した場合であっても、アンテナ部３１と配線基板４３とが重なり合う位置関係とならないことから、前述した実施形態と同様の作用効果を得ることができる。
【００３９】
なお、本実施形態では、表示手段１０がアナログ式の速度計である指針式表示部４０と、表示ユニット５０とを備えている例について説明したが、例えば指針式表示部４０をデジタル式の速度計としてもよいし、あるいは表示手段１０自体を単一のＴＦＴ型液晶表示パネルからなる表示ユニットとして構成してもよい。
【符号の説明】
【００４０】
１０    表示手段
２０    筐体
２３    第１の前面側開口
２４    第２の前面側開口
３０    回路基板
３１    アンテナ部
４０    指針式表示部
４１    指針
４３    配線基板
４３ａ  制御部
４４    表示板
４６    ケース体
４７    第１の透視部    
５０    表示ユニット
５１    表示器
５２    第２の透視部
６０    携帯端末（相手側機器）
６３    通信部
【図１】
2015101143.tif 000003
【図２】
2015101143.tif 000004
【図３】
2015101143.tif 000005
【図４】
2015101143.tif 000006
【図５】
2015101143.tif 000007
【図６】
2015101143.tif 000008
【図７】
2015101143.tif 000009
【図８】
2015101143.tif 000010